(57)【要約】【課題】入力信号のレベルが変動したときに出力信号のレベルを目標レベルに対して狭い範囲に収束させることができる自動利得制御装置を提供すること。【解決手段】周波数信号が入力される可変利得調整部２１、３１の出力レベルをレベル検出部２２、３２にて検出し、レベル検出値とレベル目標値との比較結果に基づいて可変利得調整部２１、３１の利得指令値を出力して利得制御を行う自動利得制御部を、前段及び後段に夫々第１の自動利得制御部２及び第２の自動利得制御部３として設けている。そして前段側（第１の）自動利得制御部２において出力レベルが許容範囲内に収まったときに、第１の自動利得制御部２の利得制御を停止し、第２の自動利得制御部３にて利得制御を行うようにしている。【選択図】図２
2015076794.tif 000002
【特許請求の範囲】
【請求項１】
入力された信号の出力レベルを調整する第１の可変利得調整部と、前記第１の可変利得調整部の出力レベルを検出する第１のレベル検出部と、前記第１のレベル検出部にて検出されたレベル検出値とレベル目標値とを比較し、両者のレベル差分が許容値から外れているか否かを判定する判定部と、前記両者のレベル差分が許容値から外れているときには前記レベル差分に基づいて前記第１の可変利得調整部の利得指令値を出力して利得制御を行うと共に、前記レベル差分が許容値以内に収まっているときには利得制御を行わずに一定の利得指令値を出力する第１の利得出力部と、前記利得制御を行っている利得制御状態であるか否かを出力する状態出力部と、を含む第１の自動利得制御部と、
前記第１の可変利得調整部の出力側に設けられた第２の可変利得調整部と、前記第２の可変利得調整部の出力レベルを検出する第２のレベル検出部と、前記状態出力部の状態出力を検出する状態検出部と、この状態検出部で検出した状態出力が前記利得制御状態でないときには、前記第２のレベル検出部にて検出されたレベル検出値とレベル目標値とのレベル差分に基づいて前記第２の可変利得調整部の利得指令値を出力すると共に、前記状態出力部の状態出力が利得制御状態であるときには一定の利得指令値を出力する第２の利得出力部と、を含む第２の自動利得制御部と、を備えたことを特徴とする自動利得制御装置。
【請求項２】
前記第２の自動利得制御部の第２の利得出力部は、第２のレベル検出部にて検出されたレベル検出値とレベル目標値とのレベル差分が許容値以内に収まっているときには利得制御を行わずに一定の利得指令値を出力するように構成され、
前記第２の自動利得制御部における前記許容値は、前記第１の自動利得制御部における前記許容値よりも小さいことを特徴とする請求項１記載の自動利得制御装置。
【請求項３】
前記第１の自動利得制御部の第１の利得出力部及び状態検出部は第１のコントローラにより構成されると共に、前記第２の自動利得制御部の第２の利得出力部及び状態検出部は第２のコントローラにより構成され、
前記第１のコントローラ及び第２のコントローラは、レベル検出値とレベル目標値とのレベル差分が許容値から外れているか否かを判定するステップと、自己の自動利得制御装置の前段側の自動利得制御装置の状態出力部から利得制御状態が出力されているか否かを判定するステップと、前記レベル差分が許容値から外れていること及び自己の自動利得制御装置の前段側の自動利得制御装置の状態出力部から利得制御状態が出力されていないことのアンド条件により、レベル差分に基づいて利得指令値を出力するステップと、前記アンド条件が成立しないときには、一定の利得指令値を出力するステップと、自己の利得制御装置の利得出力部が利得制御状態にあるか否かを出力するステップと、を実行するためのプログラムを備えていることを特徴とする請求項１または２記載の自動利得制御装置。
【発明の詳細な説明】
【技術分野】
【０００１】
本発明は、周波数信号の出力レベルを自動調整する自動利得制御装置に関する。
【背景技術】
【０００２】
無線通信の基地局などに設けられている受信設備には、受信した周波数信号（受信信号）の信号レベルの変動（フェージング）の影響を低減するための自動利得制御装置（Auto Gain Control Device、以下「ＡＧＣ装置」と呼称する）を備えているものがある。ＡＧＣ装置は、受信信号の信号レベルを検出し、この検出結果と目標の信号レベル（目標レベル）とを比較して、これらのレベルが揃うように可変利得増幅器や可変アッテネータの出力レベルを調整する制御を行う。
【０００３】
従来のＡＧＣ装置はアナログ回路により制御が行われていたため、出力信号のレベルを一定範囲内に確実かつ高速に収束させることが困難であった。一方、通信技術の高度化に伴い、出力信号のレベルを高精度に収束させることが要請されている。このためディジタル制御を用いたＡＧＣ装置が開発されている。
【０００４】
特許文献１には、複数の増幅器の出力をＡ／Ｄ変換し、得られた出力を系毎にＡＧＣ装置にて制御すると共に状態監視制御部に出力し、状態監視制御部が系の異常を検出した場合、対応するＡＧＣ装置の利得制御パラメータを変更する自動利得制御方法が記載されている。また特許文献２には、ＡＧＣ装置を有する受信部を複数備え、受信部からの複数の信号が制御部に入力され、制御部は信号の受信状態に基づいて、少なくとも一つの受信部のＡＧＣ装置について利得を制御する自動利得制御方法が記載されている。しかしこれらの技術は本発明と構成及び原理が異なる。
【先行技術文献】
【特許文献】
【０００５】
【特許文献１】特開２００９―７７２４２号公報
【特許文献２】特開２０１２―１００１１４号公報
【発明の概要】
【発明が解決しようとする課題】
【０００６】
本発明はこのような事情の下になされたものであり、その目的は、入力信号のレベルが変動したときに出力信号のレベルを目標レベルに対して狭い範囲に収束させることができる自動利得制御装置を提供することにある。
【課題を解決するための手段】
【０００７】
本発明の自動利得制御装置は、
入力された信号の出力レベルを調整する第１の可変利得調整部と、前記第１の可変利得調整部の出力レベルを検出する第１のレベル検出部と、前記第１のレベル検出部にて検出されたレベル検出値とレベル目標値とを比較し、両者のレベル差分が許容値から外れているか否かを判定する判定部と、前記両者のレベル差分が許容値から外れているときには前記レベル差分に基づいて前記第１の可変利得調整部の利得指令値を出力して利得制御を行うと共に、前記レベル差分が許容値以内に収まっているときには利得制御を行わずに一定の利得指令値を出力する第１の利得出力部と、前記利得制御を行っている利得制御状態であるか否かを出力する状態出力部と、を含む第１の自動利得制御部と、
前記第１の可変利得調整部の出力側に設けられた第２の可変利得調整部と、前記第２の可変利得調整部の出力レベルを検出する第２のレベル検出部と、前記状態出力部の状態出力を検出する状態検出部と、この状態検出部で検出した状態出力が前記利得制御状態でないときには、前記第２のレベル検出部にて検出されたレベル検出値とレベル目標値とのレベル差分に基づいて前記第２の可変利得調整部の利得指令値を出力すると共に、前記状態出力部の状態出力が利得制御状態であるときには一定の利得指令値を出力する第２の利得出力部と、を含む第２の自動利得制御部と、を備えたことを特徴とする。
【発明の効果】
【０００８】
本発明は、周波数信号が入力される可変利得調整部の出力レベルをレベル検出部にて検出し、レベル検出値とレベル目標値との比較結果に基づいて可変利得調整部の利得指令値を出力して利得制御を行う自動利得制御部を、前段及び後段に夫々第１の自動利得制御部及び第２の自動利得制御部として設けている。そして前段側（第１の）自動利得制御部において出力レベルが許容範囲内に収まったときに、第１の自動利得制御部の利得制御を停止し、第２の自動利得制御部にて利得制御を行うようにしている。両者の自動利得制御部にて利得制御を行うと、出力レベルを目標値に対して狭い範囲に収束させることが難しいが、本発明のように構成することで、出力レベルを目標値に対して狭い範囲に速やかに収束させることができる。
【図面の簡単な説明】
【０００９】
【図１】本発明の実施形態にかかるＡＧＣ装置を備える受信設備のブロック図である。
【図２】前記ＡＧＣ装置のブロック図である。
【図３】前記ＡＧＣ装置のブロック図である。
【図４】前記ＡＧＣ装置における利得制御判定のフローチャートである。
【図５】前記ＡＧＣ装置における利得制御判定のフローチャートである。
【図６】前記利得制御判定ステップにおける利得調整量決定ステップの説明図である。
【図７】他のＡＧＣ装置のブロック図である。
【図８】前記ＡＧＣ装置に入力される入力信号の信号レベルが変化したときの各自動利得制御部からの出力信号の信号レベルの応答を示す説明図である。
【発明を実施するための形態】
【００１０】
図１は、本発明の実施形態にかかるＡＧＣ装置１を備えた受信設備の構成例を示している。アンテナ８１にて受信された受信信号は、バンドパスフィルタ（以下「ＢＰＦ」と呼称する）１、ＢＰＦ２や増幅器１を経て所望の帯域の信号が取り出された後、発振部８３から出力された周波数信号を用いてミキサ８２にて変調される。変調後の受信信号はＢＰＦ３にて不要な周波数が取り除かれ、増幅器２にて増幅された後、ＡＧＣ装置１を経て信号処理部８４に入力され、復調される。
【００１１】
ＡＧＣ装置１は、信号処理部８４に入力される前の受信信号の信号レベルを検出して目標レベルと比較し、この比較結果に基づいてＡＧＣ装置１から出力される出力信号の信号レベルの調整を行う。本例のＡＧＣ装置１は、出力信号の信号レベルが目標レベルと揃うように信号レベルの調整を行っている。
【００１２】
図２に示したブロック図を参考に、上述の機能を備えたＡＧＣ装置１の構成について説明する。ＡＧＣ装置１は、入力信号のレベル（入力レベル）の変動に応じて、所定の目標レベルに基づき、出力信号のレベル（出力レベル）を調整する第１の自動利得制御部２と、第１の自動利得制御部２にて出力レベルが調整された後の信号の出力レベルを再調整する第２の自動利得制御部３と、を備えている。
【００１３】
第１の自動利得制御部２は、フェージング等により例えば７０ｄＢの範囲（第１の目標レベルに対して±３５ｄＢの範囲）で入力レベルが変動する可能性のある信号が入力されたとき、予め設定された第１の目標レベルと揃うように出力レベルの調整を行う。第１の自動利得制御部２は、第１の利得調整部２１と、第１の利得調整部２１の出力信号である周波数信号の信号レベルを検出する第１のレベル検出部２２と、第１のレベル検出部２２にて検出したレベル検出値とレベル目標値とに基づいて第１の利得調整部２１の利得指令値を出力する第１のコントローラ２００と、Ａ／Ｄ（アナログ／ディジタル）変換部２３と、Ｄ／Ａ（ディジタル／アナログ）変換部２４とを備えている。第１のレベル検出部２２は、図２に示すように例えばダイオード、インダクタ、抵抗、コンデンサを組み合わせたものを用いることができる。  
第１の利得調整部２１は、図３に示すように互いに利得の調整可能範囲が揃っている３個の可変利得増幅器２１Ａ〜２１Ｃを直列に接続することにより構成されている。
【００１４】
図２に戻って、第１のコントローラ２００は、判定部２０１と状態検出部２０２と利得出力部２０３と状態出力部２０４とメモリ２０５とを備えている。判定部２０１は、第１のレベル検出部２２から入力されたレベル検出値とメモリ２０５内に記憶されているレベル目標値との差分の絶対値が許容値（許容範囲）内に収まっているか否かを判定する。状態検出部２０２は、当該第１の利得調整部２１よりも一段前の利得調整部の状態が利得制御状態であるか否かを検出する部分である。この例では当該第１の利得調整部２１よりも一段前の利得調整部は存在しないので、状態検出部２０２は、利得制御状態に相当する信号を検出しない。従って一見すると状態検出部２０２は意味のない構成と把握されるかもしれないが、後述のように、各段の利得調整部のコントローラに格納されるソフトウエアを共通化してシステムの柔軟性を確保するために、この例では先頭の第１の自動利得制御部２にも状態検出部２０２が設けられている。  
利得出力部２０３は、状態検出部２０２において検出した状態出力が利得制御状態でなくかつレベル差分の絶対値が許容値から外れているときに、第１のレベル検出部２２にて検出したレベル検出値とレベル目標値とのレベル差分に基づいて第１の利得調整部２１の利得指令値を出力する。また利得出力部２０３は、状態検出部２０２の状態出力が利得制御状態であるかまたはレベル差分の絶対値が許容値に収まっているときには、その時点まで出力されていた利得指令値をそのまま出力する。
【００１５】
前記レベル差分に基づいて第１の利得調整部２１の利得指令値を出力するとは、レベル検出値がレベル目標値よりも大きければ、レベル検出値がレベル目標値に近づくようにそれまでの利得指令値よりも小さい値が利得指令値として出力され、レベル検出値がレベル目標値よりも小さければレベル検出値がレベル目標値に近づくようにそれまでの利得指令値よりも大きい値が利得指令値として出力されるということである。また、この例では３つの可変利得増幅器２１Ａ〜２１Ｃにより利得調整部２１が構成されているので、レベル調整量は、３つの可変利得増幅器２１Ａ〜２１Ｃのレベル調整量の合計に相当する。従って利得出力部２０３から出力される利得指令値は、第１の利得調整部２１が行うレベル調整量の１／３の値が出力され、３つの可変利得増幅器２１Ａ〜２１Ｃに同じ利得指令値が入力される。例えば第１の利得調整部２１で＋２４ｄＢの利得を調整する場合には利得指令値は＋８ｄＢとなる。  
本明細書では、このように前記レベル差分に基づいて第１の利得調整部２１の利得指令値を出力する状態を「利得制御状態」と称している。従って、レベル差分が許容値に収まっている等の場合に、その時点まで出力されていた利得指令値を出力している状態は「利得制御状態」ではない。  
状態出力部２０４は、第１の利得調整部２１が利得制御を行っているか否かを出力する。メモリ２０５には、目標レベルの他に、電源投入時の利得指令値の初期値が記憶されている。
【００１６】
次に第２の自動利得制御部３の構成について説明する。第２の自動利得制御部３は第１の自動利得制御部２と同様の構成であるが、レベル目標値、レベル検出値とレベル目標値との差分の許容値などのパラメータ値が異なる。第２の利得調整部３１は、例えば１個の可変利得増幅器により構成されている。３２は第２のレベル検出部、３３はＡ／Ｄ（アナログ／ディジタル）変換部、３４はＤ／Ａ（ディジタル／アナログ）変換部、３００は第２のコントローラ、３０１は判定部、３０２は状態検出部、３０３は利得出力部、３０４は状態出力部、３０５はメモリである。また第１のコントローラ２００と第２のコントローラ３００とは通信ライン１０１により互いに接続されている。  
以上においてコントローラ内の構成要素である判定部、状態検出部、利得出力部及び状態出力部は、この例ではソフトウエアであるプログラムに書き込まれているステップ群のうちの一つのステップ、あるいは複数のステップにより構成されている。
【００１７】
次に上述実施の形態の作用について図４及び図５を参照しながら説明する。既述のように第１のコントローラ２００内に格納されているプログラムと第２のコントローラ３００内に格納されているプログラムとは、パラメータ値を除いて同じであることから、図４に示す第１のコントローラ２００内のフローチャートと図５に示す第２のコントローラ３００内のフローチャートは同一である。なおステップに付した符号は、図４、図５の間で互いに異ならせている。
【００１８】
図１に示す受信設備の電源投入時には、ＡＧＣ装置１及び第１の自動利得制御部２においては利得指令値の初期値が第１の利得調整部２１、第２の利得調整部３１に出力されるが、その後は図４、図５に示すフローチャートによって自動利得制御が行われる。先ず第１の自動利得制御部２において当該第１の自動利得制御部２の一段前段側の自動利得制御部が制御状態にあるか否かを検出する（Ｓ１０１）。第１の自動利得制御部２は最先の自動利得制御部であり、前段の自動利得制御部は存在しないことから、Ｓ１０１は「Ｎｏ」となり、Ｓ１０２に進む。  
Ｓ１０２においては、第１のレベル検出部２２において検出したレベル検出値とレベル目標値との差分を取り、当該差分が予め定められた許容値の範囲内に収束しているかどうかを判定する。差分が許容値内に収束している場合には、それまでの利得指令値が第１のコントローラ２００から第１のＤ／Ａ変換部２４に出力され（Ｓ１０３）、アナログ値である利得指令値が第１の利得調整部２１に入力される。そして利得制御状態でない旨の信号を出力する（Ｓ１０５）。  
前記差分が許容値内に収束していない場合には、Ｓ１０２からＳ１０４に進み、当該差分に基づいて利得指令値を算出及び出力する（Ｓ１０４）。例えばレベル検出値がレベル目標値よりも大きければ、現在の利得指令値からその差分だけ差し引き、新たな利得指令値として出力する。またレベル検出値がレベル目標値よりも小さければ、現在の利得指令値にその差分だけ加算して新たな利得指令値として出力する。しかる後、状態出力部２０４が利得調整状態である旨の信号を出力する（Ｓ１０６）。
【００１９】
一方第２の自動利得制御部３においてもプログラムが読み出され、図５のフローチャートに沿ってステップが進められる。先ず前段側の自動利得制御部である第１の自動利得制御部２が利得制御状態か否かの判定が行われ（Ｋ１０１）、第１の自動利得制御部２が利得制御状態である場合には当該第２の自動利得制御部３の第２の利得調整部３１においては利得調整を行わず、それまでの利得指令値を今回の利得指令値として出力する（Ｋ１０３）、さらに状態出力部３０４が利得制御状態でない旨の信号を出力する（Ｋ１０５）。
前段側の自動利得制御部である第１の自動利得制御部２が利得制御状態にないときには、レベル検出値とレベル目標値との差分が許容範囲内であるか否かの判定が行われ（Ｋ１０２）、許容範囲内であればステップＫ１０３に進む。許容範囲外であればレベル検出値とレベル目標値との差分に基づいて利得指令値を算出して出力し（Ｋ１０４）、利得制御状態であることを出力する（Ｋ１０６）。
【００２０】
続いて、図６のフローチャートを参照して前述した利得指令値の算出及び出力ステップ（Ｓ１０４、Ｋ１０４）の他の例について説明する。  
先ず当該ステップには、各自動利得制御部系統固有の粗調値及び微調値が設定されている。例えば第１の自動利得制御部２の粗調値及び微調値としては、夫々７０ｄＢ及び１０ｄＢである。第２の自動利得制御部３の粗調値及び微調値は夫々第１の利得制御部の粗調値及び微調値よりも小さい値が設定される。  
当該決定ステップにおいては先ず第１の利得制御部２におけるレベル検出値とレベル目標値との差分をとる（Ｓ２０１）。得られた差分が差分＞粗調値の場合Ｓ２０２ａ、粗調値＞差分＞微調値の場合Ｓ２０２ｂ、微調値＞差分の場合Ｓ２０２ｃへと夫々移行する。
【００２１】
Ｓ２０２ａ、Ｓ２０２ｂ及びＳ２０２ｃにおいては利得調整量の決定が行われる。利得調整量は、第１の自動利得制御部２におけるＳ２０２ａにおいては例えば４０ｂｉｔ、Ｓ２０２ｂにおいては例えば前記差分の１／２、Ｓ２０２ｃにおいては例えば１ｂｉｔである。第２の自動利得制御部３内のＫ２０２ａ〜Ｋ２０２ｃにおいては利得調整量はこれらと同等あるいはより小さく設定されている。こうして決定された利得調整量が利得調整部にフィードバックされ、利得の調整が行われる（Ｓ２０３）。
【００２２】
第１の自動利得制御部２における判定部２０１、利得出力部２０３は、フェージングの発生などによる入力レベルの変動を短時間で整定するために、例えばサブミリ秒〜数ミリ秒程度の間隔で利得指令値の更新（前回と今回の利得指令値が同じである場合を含む）を行う。即ちこの時間間隔でステップＳ１０４が実行される。一方、第２の自動利得制御部３における判定部３０１、利得出力部３０３は、第１の自動利得制御部２における判定部２０１、利得出力部２０３よりも長い間隔、例えば１０〜１００ミリ秒程度の間隔で利得指令値の更新を行う。第２の自動利得制御部３は、第１の自動利得制御部２にて予め出力レベルが調整された信号の出力レベルの再調整を行い、且つその調整範囲（±５ｄＢ）は、第１の自動利得制御部２の調整可能範囲（±３５ｄＢ）よりも小さいので、演算の実行速度が低くても速やかに出力レベルの再調整を行うことができる。
【００２３】
ここで、ＡＧＣ装置１は、第１の自動利得制御部２と第２の自動利得制御部３との２つの自動利得制御部により制御されているものとしてきたが、信号の入力レベル、所望の出力レベルの大きさあるいは出力範囲に応じて、例えば図７に示した構成のように、３つ以上の自動利得制御部により制御されるものとしてもよい。この場合、前段の自動利得制御部における信号の出力レベルが当該自動利得制御部の目標レベルから一定範囲内に収束するのを待って、後段の自動利得制御部が稼動することとなる。ここで、各自動利得制御部において制御プログラムの構成は同一であるので、各利得制御部に同一のプログラムをインストールすることにより上記構成のＡＧＣ装置１全体の制御が可能となる。従って各段の利得調整部のコントローラに格納されるソフトウエアを共通化でき、システムの柔軟性を確保することができる。
【００２４】
ここで上述の実施形態における信号レベルの時間的推移の一例について図６（ａ）〜（ｃ）のタイムチャートを参照しながら説明する。図６（ａ）はＡＧＣ装置１への入力レベルの経時変化を示し、図６（ｂ）、（ｃ）は夫々第１の自動利得制御部２、第２の自動利得制御部３からの出力レベルの経時変化を示している。なお、第２の自動利得制御部３の出力レベルはＡＧＣ装置１全体の出力レベルに相当する。また図５（ｃ）には第１の自動利得制御部２からの出力レベルを破線にて併記し、第２の目標レベルの変更範囲を一点鎖線にて併記してある。
【００２５】
図６（ａ）〜（ｃ）に示すように、一定の入力レベルを持つ入力信号がＡＧＣ装置１に入力され、第１の自動利得制御部２、第２の自動利得制御部３からは夫々第１の目標レベル（Ｌ１）、第２の目標レベル（Ｌ２：第１の目標レベルよりも高い値に設定されている）に出力レベルが調整された信号が出力されている理想的な状態を考える。
【００２６】
この状態において時刻ｔ１にて入力レベルがステップ状に低下したとする。このとき第１の自動利得制御部２の出力レベルは入力レベルの変化に合わせて一旦低下する。このレベル変化は、第１のレベル検出部２２にて検出され、検出結果が判定部２０１に入力される。当該検出結果により判定部２０１は利得制御許可の命令を利得出力部２０３に出力し、当該利得出力部２０３は利得調整量の決定を行う。当該利得調整量は第１の利得調整部２１にフィードバックされ、利得調整が行われる。本例の場合は利得を増大させる方向に調整が行われる。この結果、第１の自動利得制御部２の出力レベルは次第に上昇し、時刻ｔ２にて第１の目標レベルと揃った値にほぼ収束する。
【００２７】
一方、第１の自動利得制御部２から出力された信号が入力される第２の自動利得制御部３においても、第１の自動利得制御部２の出力レベルの変化に伴って第２の自動利得制御部３の出力レベルが低下する。そして前段の第１の自動利得制御部２における出力レベルの回復、及びレベル検出部３２、判定部３０１、利得出力部３０３及び第２の利得調整部３１の作用によって、第２の目標レベルとの差分値を解消するように利得が変更される。本例の場合は利得を増大させる方向に調整が行われる。
【００２８】
ここで、第２の自動利得制御部３は、既述のように第１の自動利得制御部２の出力レベルが第１の目標レベルから一定範囲内に収束するまで動作を実行しない。時刻ｔ１の後、第１の自動利得制御部２の出力レベルが再び一定範囲内に収束する時刻をｔ’とすると、時刻ｔ１からｔ’までの間、第２の自動利得制御部３は動作せず、第１の自動利得制御部２のみにて利得調整が行われていることになる。また、時刻ｔ’以降は第２の自動利得制御部３のみにて利得調整が行われていることになる。
【００２９】
ここで、既述のように第２の自動利得制御部３が出力レベルの調整を実行する時間間隔（本例では１０〜１００ミリ秒）は第１の自動利得制御部２が出力レベルの調整を実行する時間間隔（サブミリ秒〜数ミリ秒）よりも長い。このため、第２の自動利得制御部３は時間当たりの利得調整幅が第１の自動利得制御部２よりも小さく、また第２の目標レベルは第１の目標レベルよりも高い値に設定されているので、第２の自動利得制御部３の出力レベルは、第１の自動利得制御部２の出力レベルが収束する時刻ｔ２よりも後の、時刻ｔ３にて第２の目標レベルにほぼ収束する。
【００３０】
このように、変動幅が大きくなるおそれのある外部からの入力レベルの変動に対しては、第１の自動利得制御部２を高速で作動させて迅速なレベル調整を実行する。一方、後段の利得調整手段である第２の自動利得制御部３においては、比較的ゆっくりであっても確実に出力レベルの調整を行うことにより、安定したレベル調整を実行することができる。
【００３１】
本実施形態に係るＡＧＣ装置１によれば以下の効果がある。入力レベルの変動に応じ、第１の目標レベルとの比較結果に基づいて出力レベルを調整する第１の自動利得制御部２と、当該第１の自動利得制御部２にて出力レベルが調整された後の信号レベルと第２の目標レベルとの比較結果に基づいて、出力レベルを調整する第２の自動利得制御部３とを備えている。第１の自動利得制御部２は、利得の調整幅が第２の自動利得制御部３よりも大きいので、フェージングなどの入力信号のレベルの大きな変動に対応して出力レベルの調整が可能である。一方、第１の自動利得制御部２と比較して利得の調整幅が小さい第２の自動利得制御部３は、第１の自動利得制御部２による利得調整による出力信号の信号レベルが第１の目標レベルからの一定範囲内に収束するまで利得調整を行わないように構成されている。このため、複数の利得調整部が同時に作動することを防ぐことができ、結果としてＡＧＣ装置１全体として信号の出力レベルを安定させることができる。
【００３２】
また、第１の自動利得制御部２における第１の利得調整部２１は、複数の可変利得増幅器２１Ａ〜２１Ｃを直列に接続して構成する場合に限らず、必要とされる範囲の利得を調整することが可能な１個の可変利得増幅器を用いてもよい。更に、第１の利得調整部２１、第２の利得調整部３１は、可変利得増幅器を用いて構成する場合に限らず、例えば可変アッテネータを用いてこれらの利得調整部を構成してもよい。
【００３３】
また、第１の自動利得制御部２の単位時間当たりの利得の調整幅（利得の調整速度）が第２の自動利得制御部３の利得の調整速度よりも大きいことは必須の要件ではない。第１の自動利得制御部２の利得の調整速度が入力信号のレベル変動に対応可能な速度であり、且つ、第２の自動利得制御部３の利得の調整速度がＡＧＣ装置１全体の出力レベルを安定して変更することができる速度であれば、第２の自動利得制御部３のほうが第１の自動利得制御部２よりも高速で利得を調整することが可能であってもよい。
【符号の説明】
【００３４】
１              ＡＧＣ装置
２              第１の自動利得制御部
２１            第１の利得調整部
２２            第１のレベル検出部
２００          第１のコントローラ
３              第２の自動利得制御部
３１            第２の利得調整部
３２            第２のレベル検出部
３００          第２のコントローラ
【図１】
2015076794.tif 000003
【図２】
2015076794.tif 000004
【図３】
2015076794.tif 000005
【図４】
2015076794.tif 000006
【図５】
2015076794.tif 000007
【図６】
2015076794.tif 000008
【図７】
2015076794.tif 000009
【図８】
2015076794.tif 000010